(57)【特許請求の範囲】
【請求項１】
上面中央部に時計ガラスが設けられると共に、１２時及び６時方向にバンド取付部が延出形成され、かつ１２時側バンド取付部に収納凹部及び係止凹部が形成された腕時計ケースと、
前記収納凹部に収納されるアンテナと、
このアンテナを覆って前記収納凹部に固着されたカバー部材と、
前記腕時計ケースの上面外周部に装着され、前記カバー部材の少なくとも一部を覆って押える押え部が突出形成され、かつ、この押え部の先端が腕時計ケースに形成された係止凹部に係止されてなるベゼルとを備えたことを特徴とする電子腕時計。
【請求項２】
前記カバー部材と前記押え部との間には、緩衝材が設けられていることを特徴とする請求項１に記載の電子腕時計。
【発明の詳細な説明】
【０００１】
【発明の属する技術分野】
この発明は電子腕時計に関する。
【０００２】
【従来の技術】
従来、電子腕時計においては、アンテナを内蔵した電波時計がある。この種の電子時計は、図６に示すように、合成樹脂製の腕時計ケース１を備えている。この腕時計ケース１には、１２時側と６時側（同図では１２時側のみを示す）との箇所にバンド取付部２がそれぞれ設けられており、これらバンド取付部２のうち、１２時側のバンド取付部２には、収納凹部３が上面側に向けて開放されて設けられている。この収納凹部３内には、アンテナ４が収納されている。このアンテナ４は、鉄芯であるコアにコイルを巻き付けたバーアンテナであり、その全外周にゴムシートなどの緩衝材６が巻き付けられている。また、収納凹部３の上部には、アンテナ４を覆うカバー部材５が固着されている。このカバー部材５は、合成樹脂製のパネルであり、その全周囲が超音波などの溶着により収納凹部３の上部に固着されている。
【０００３】
なお、この腕時計ケース１の上面における外周部には、ベゼル７がカバー部材５との間に位置した状態で装着されている。また、この腕時計ケース１の上面における中央部分には、時計ガラス８が溶着により装着されており、腕時計ケース１の内部には、時計モジュール９が収納されている。この時計モジュール９は、アナログ機能とデジタル機能とのうち、少なくとも一方の機能を備え、腕時計ケース１の収納凹部３に収納されたアンテナ４が電気的に接続されている。さらに、腕時計ケース１の下面には、裏蓋１０が防水リング１０ａを介して取り付けられている。
【０００４】
【発明が解決しようとする課題】
しかしながら、このような電子腕時計では、アンテナ４を覆うカバー部材５の外面全体が腕時計ケース１の上面に露出しているので、図７に示すように、時計ガラス７を下側にして腕時計ケース１を誤って落下させたときに、アンテナ４の重みにより、アンテナ４側が低くなるように腕時計ケース１が傾いて落下し、この状態でカバー部材５の外面が床などに衝突するため、カバー部材５が直接衝撃を受け、カバー部材５の溶着部分にクラックが発生して破損するという問題がある。
また、この電子腕時計では、アンテナ４に緩衝材６を巻き付けておかないと、衝撃からアンテナ４を保護することができないという問題もある。なお、このようにアンテナ４に緩衝材６を巻き付けると、アンテナ４全体が大きくなり、これに伴って収納凹部３も大きく形成しなければならず、腕時計全体が大型化するという問題も生じる。
【０００５】
この発明の課題は、落下などの衝撃によってカバー部材が破損しないようにすることである。
【０００６】
【課題を解決するための手段】
この発明の電子腕時計は、上面中央部に時計ガラスが設けられると共に、１２時及び６時方向にバンド取付部が延出形成され、かつ１２時側バンド取付部に収納凹部及び係止凹部が形成された腕時計ケースと、前記収納凹部に収納されるアンテナと、このアンテナを覆って前記収納凹部に固着されたカバー部材と、前記腕時計ケースの上面外周部に装着され、前記カバー部材の少なくとも一部を覆って押える押え部が突出形成され、かつ、この押え部の先端が腕時計ケースに形成された係止凹部に係止されてなるベゼルとを備えたことを特徴とする。この発明によれば、アンテナが収納された収納凹部に固着されたカバー部材の少なくとも一部を、腕時計ケースに取り付けられた外装部材の押え部で覆って押えているので、この押え部によって落下などによる衝撃を受け止めることができ、これにより落下などの衝撃によってカバー部材が破損しないように、カバー部材を保護することができる。
【０００７】
この場合、請求項２に記載のごとく、前記カバー部材と前記押え部との間に緩衝材が設けられていることにより、この緩衝材によって落下などによる衝撃を緩和することができ、これによっても落下などの衝撃からカバー部材および収納凹部に収納されたアンテナを保護することができ、また従来例のようにアンテナに緩衝材を巻き付ける必要がないため、アンテナ全体が大きくならず、これにより時計全体の小型化をも図ることができる。
【０００８】
【発明の実施の形態】
以下、図１〜図４を参照して、この発明の電子腕時計の第１実施形態について説明する。なお、図６および図７に示された従来例と同一部分には同一符号を付して説明する。
この電子腕時計は、図１および図２に示すように、合成樹脂製の腕時計ケース１の１２時側に位置するバンド取付部２にアンテナ取付部１１が９時側（図２では左側）に少し突出して設けられている。このアンテナ取付部１１には、図３に示すように、アンテナ４を収納する収納凹部１２が上面側に開放されて設けられている。この場合、アンテナ４は、両面接着テープ１３によって収納凹部１２内に接着されている。この収納凹部１２の上部には、アンテナ４を覆うカバー部材１４が固定されている。このカバー部材１４も、従来例と同様、合成樹脂製のパネルであり、上面が山形状に厚く形成され、下面側が開放された箱蓋形状に形成され、その全周縁部が超音波などの溶着により収納凹部１２に固着されている。
【０００９】
また、腕時計ケース１の上面における外周部には、図１に示すように、外装部材であるベゼル１５が装着されている。このベゼル１５には、収納凹部１２に固着されたカバー部材１４の３時側（図１では右側）のほぼ半分程度を覆って押える押え部１６が突出して形成されている。この場合、カバー部材１４の上面には、図２に示すように、押え部１６に対応する凹溝１４ａが浅く形成されている。また、押え部１６は、図３に示すように、ベゼル１５側に位置する基端部の肉厚が厚く、先端側の肉厚が薄く形成されており、この押え部１６の先端部１６ａは、収納凹部１２に形成された係止凹部１２ａに挿入して係止されている。さらに、この押え部１６とカバー部材１４との間には、図３に示すように、ゴムシートなどの緩衝材１７が設けられている。この場合には、カバー部材１４の凹溝１４ａ内における最上面の箇所に平坦面１４ｂが形成されており、この平坦面１４ｂに緩衝材１７が接着され、この状態で緩衝材１７がベゼル１５の押え部１６によって押えられている。
【００１０】
このような電子腕時計では、アンテナ４が収納された収納凹部１２に固着されたカバー部材１４の一部、つまりカバー部材１４の右側のほぼ半分程度を、腕時計ケース１の外周部に取り付けられたベゼル１５の押え部１６で覆って押えているので、図４に示すように、腕時計ケース１がその時計ガラス７を下側にして落下したとき、アンテナ４の重みによってアンテナ４側が低くなるように、腕時計ケース１が傾いても、ベゼル１５の押え部１６によって落下などによる衝撃を受け止めることができ、これにより落下などの衝撃によってカバー部材１４の溶着部分にクラックが発生して破損しないように、カバー部材１４を保護することができる。
【００１１】
この場合、カバー部材１４と押え部１６との間に緩衝材１７が設けられているので、この緩衝材１７によって落下などによる衝撃を緩和することができ、これによりカバー部材１４および収納凹部１２に収納されたアンテナ４を保護することができる。このため、従来例のようにアンテナ４に緩衝材６を巻き付ける必要がないので、アンテナ４全体が大きくならず、これに伴って収納凹部１２も大きく形成する必要がないので、時計全体の小型化をも図ることができる。
【００１２】
次に、図５を参照して、この発明の電子腕時計の第２実施形態について説明する。この場合には、図１〜図４に示された第１実施形態と同一部分には同一符号を付して説明する。
この電子腕時計は、アンテナ４を覆って収納凹部１２に固着されるカバー部材２０と、このカバー部材２０の一部を覆って押えるベゼル１５の押え部２１との形状がそれぞれ第１実施形態と異なり、これ以外は第１実施形態とほぼ同じ構造になっている。
【００１３】
すなわち、カバー部材２０は、合成樹脂製のパネルであり、全体の肉厚が厚く形成されている。このカバー部材２０の下面には、アンテナ４の上部が挿入する凹部２０ａが形成されており、カバー部材２０のベゼル１５側に位置する上面には、切欠凹部２２が設けられている。また、ベゼル１５の押え部２１は、ベゼル１５の１２時側の外周部から突出して設けられ、カバー部材２０の切欠凹部２２内に配置されてカバー部材１４を上方から押え付けている。この場合にも、ベゼル１５の押え部２１とカバー部材２０の切欠凹部２２との間には、ゴムシートなどの緩衝材１７が設けられている。
【００１４】
このような電子腕時計では、アンテナ４が収納された収納凹部１２に固着されたカバー部材２０に切欠凹部２２を設け、この切欠凹部２２に腕時計ケース１の外周部に取り付けられたベゼル１５の押え部２１を配置させてカバー部材２０を上方から押え付けているので、この押え部２１によって落下などの衝撃をある程度受け止めることができ、これにより落下などの衝撃によってカバー部材２０の溶着部分にクラックが発生して破損しないように、カバー部材２０を保護することができる。この場合にも、カバー部材２０の切欠凹部２２と押え部２１との間に緩衝材１７が設けられているので、この緩衝材１７によっても落下などの衝撃を緩和することができ、これによりカバー部材２０およびアンテナ４を保護することができ、第１実施形態と同様、時計全体の小型化をも図ることができる。
【００１５】
【発明の効果】
以上説明したように、この発明によれば、アンテナが収納された収納凹部に固着されたカバー部材の少なくとも一部を、腕時計ケースに取り付けられた外装部材の押え部で覆って押えているので、この押え部によって落下などによる衝撃を受け止めることができ、これにより落下などの衝撃によってカバー部材が破損しないように、カバー部材を保護することができる。
この場合、カバー部材と押え部との間に緩衝材を設けることにより、この緩衝材によって落下などによる衝撃を緩和することができ、これによっても落下などの衝撃からカバー部材および収納凹部に収納されたアンテナを保護することができ、また従来例のようにアンテナに緩衝材を巻き付ける必要がないため、アンテナ全体が大きくならず、これにより時計全体の小型化をも図ることができる。
【図面の簡単な説明】
【図１】この発明の電子腕時計の第１実施形態を示した正面図。
【図２】図１の腕時計ケースからベゼルを取り外した状態の要部の正面図。
【図３】図１のＡ−Ａ矢視における拡大断面図。
【図４】図３の状態の腕時計を落下したときの状態を示した要部の拡大断面図。
【図５】この発明の電子腕時計の第２実施形態を示した要部の拡大断面図。
【図６】従来の電子腕時計を示した要部の拡大断面図。
【図７】図６の従来の腕時計を落下したときの状態を示した断面図。
【符号の説明】
１  腕時計ケース
４  アンテナ
１２  収納凹部
１４、２０  カバー部材
１５  ベゼル
１６、２１  押え部
１７  緩衝材
【図１】
0003800941.tif 000002
【図２】
0003800941.tif 000003
【図３】
0003800941.tif 000004
【図４】
0003800941.tif 000005
【図５】
0003800941.tif 000006
【図６】
0003800941.tif 000007
【図７】
0003800941.tif 000008